(57)【要約】【課題】発光チップを組分け制御できる発光ダイオード構造を提供すること。【解決手段】結合座と複数の発光チップ及びコロイドを含み、当該結合座に結合部と少なくとも２対のステーセットが設けられ、当該複数の発光チップが結合部に固設され、当該発光チップが少なくとも２対のステーセットに電気的に接続され、コロイドにより結合座にシールされ、当該少なくとも２対のステーセットを同時に２組の制御端によって制御可能に構成する。【選択図】図１
0003128427.tif 000002
【実用新案登録請求の範囲】
【請求項１】
結合座と複数の発光チップ及びコロイドを含み、
前記結合座には結合部と少なくとも２対のステーセットが設けられ、
前記複数の発光チップが結合部に固設されていると共に、発光チップが少なくとも２対のステーセットに電気的に接続され、
前記コロイドにより前記発光チップを結合座にシールし、
少なくとも２対のステーセットが、同時に２組の制御端によって制御可能に構成されたことを特徴とする、
発光ダイオード構造。
【請求項２】
前記結合座の結合部は十字形シートであることを特徴とする、請求項１に記載の発光ダイオード構造。
【請求項３】
前記結合座に設けられた結合部と少なくとも２対のステーセットは、結合部を中心として少なくとも２対のステーセットが結合部を囲むように配置されることを特徴とする、請求項１に記載の発光ダイオード構造。
【請求項４】
前記結合座に凹槽が形成されていることを特徴とする、請求項１に記載の発光ダイオード構造。
【考案の詳細な説明】
【技術分野】
【０００１】
本考案は、複数の発光チップを有する発光ダイオード構造や類似する構造に適用され、発光チップを組分け制御できる発光ダイオード構造に関する。
【背景技術】
【０００２】
発光ダイオード（Light Emitted Diode、ＬＥＤ）は、電気エネルギーを光エネルギーに変換するための高効率発光素子でありながら、微細の固体光源（solid state illuminator）でもある。発光ダイオードの主な構成は、半導体ｐ−ｎ接面構造であり、当該ｐ−ｎ接面の両端に電圧を印加して電流を流すと、電子と正孔が、当該ｐ−ｎ接面へ向かって流動し、そして、結合して光子が釈放される。
【０００３】
図５に従来の典型的な発光ダイオードＡの断面図を示す。
発光ダイオードＡは、それぞれ、陽極電位と陰極電位を供給する二つのピンＡ１、Ａ２があり、当該ピンＡ２の上端に、発光チップＡ３を設置するための凹槽Ａ２１があり、当該発光チップＡ３の下表面が、直接にピンＡ２に電気的に接続され、陰極電位を捕獲する。
また、当該発光チップＡ３が、導線Ａ４によりピンＡ１に連接され、陽極電位を捕獲する。
また、透過樹脂層Ａ５は、発光チップＡ３とピンＡ１、Ａ２の周囲を覆うように、発光チップＡ３と導線Ａ４を固定して保護する。
【０００４】
しかしながら、発光ダイオードが異なる色を発光するため、複数の発光チップが一つの発光ダイオード内に結合される。
そのため、当該発光ダイオードに通電すると、混合光を発光する。しかし、このような複数の発光チップを有する発光ダイオードは、混合光を発光できるが、当該発光ダイオードの複数の発光チップが同一のピンに結合され、また、当該ピンにより陰極電位が供給され、そして、発光チップの数に合せて相当する量の陽極電位が供給されるため、当該発光ダイオードに通電すると、全ての発光チップが同時に発光し、当該発光チップを組分け制御ができないという欠点がある。
【０００５】
本考案は上記の欠点を解消するため成されたもので、発光チップの発光を組分け制御できる発光ダイオード構造を提案することにある。
【考案の開示】
【考案が解決しようとする課題】
【０００６】
本考案の主な目的は、発光チップを組分け制御できる発光ダイオード構造を提供することにある。
本考案の他の目的は、大面積である結合部が設けられて、複数の発光チップを結合できる発光ダイオード構造を提供することにある。
【課題を解決するための手段】
【０００７】
上記の目的を達成するため本考案は、結合座と複数の発光チップ及びコロイドが含有され、当該結合座に、結合部と少なくとも２対のステーセットが設けられ、当該複数の発光チップが、結合部に固設され、当該発光チップが、少なくとも２対のステーセットに電気的に接続され、当該コロイドにより、結合座にシールされ、当該少なくとも２対のステーセットが、同時に２組の制御端によって制御される発光ダイオード構造である。
【０００８】
すなわち、本願の第１考案は、第１結合座と複数の発光チップ及びコロイドを含み、前記結合座には結合部と少なくとも２対のステーセットが設けられ、前記複数の発光チップが結合部に固設されていると共に、発光チップが少なくとも２対のステーセットに電気的に接続され、前記コロイドにより前記発光チップを結合座にシールし、少なくとも２対のステーセットが、同時に２組の制御端によって制御可能に構成されたことを特徴とする、発光ダイオード構造を提供する。
本願の第２考案は、前記結合座の結合部は十字形シートであることを特徴とする、前記第１考案に記載の発光ダイオード構造を提供する。
本願の第３考案は、前記結合座に設けられた結合部と少なくとも２対のステーセットは、結合部を中心として少なくとも２対のステーセットが結合部を囲むように配置されることを特徴とする、前記第１考案に記載の発光ダイオード構造を提供する。
本願の第４考案は、前記結合座に凹槽が形成されていることを特徴とする、前記第１考案に記載の発光ダイオード構造を提供する。
【考案の効果】
【０００９】
本考案の利点は次の通りである。
(１)結合部と少なくとも２対のステーセットが設けられた結合座により、結合部に固設された複数の発光チップが、連結導線により、２対のステーセットに連結され、これにより、単一の発光ダイオードを同時に２組の制御端によって制御することができる。
(２)２組の独立であるステーセットにより、発光ダイオードがそれぞれ２組の異なる制御端に連接して、発光ダイオードの発光をより多様化させることができる。
【考案を実施するための最良の形態】
【００１０】
以下、図１〜４を参照しながら具体的な実施例を挙げて本考案の特長を詳しく説明する。
本考案に係わる発光ダイオード構造は、結合座１０と複数の発光チップ及び複数の連結導線２６及びコロイド３０を含む。
【００１１】
結合座１０には、結合部１１と少なくとも２対のステーセットが設けられる。
本実施例においては２対のステーセット１２、１３、１４、１５が設けられている。
また、結合部１１は「十字形」を呈する平らな台である。
【００１２】
２対のステーセットの四つのステー１２、１３、１４、１５は、結合部１１を囲むように配置される。
また図４に示す結合部１１とステー１２〜１５を連結することにより、図２，３に示すような凹槽１０１を有する結合座１０が形成される。この場合、凹槽１０１内の各ステー１２、１３、１４、１５と結合部１１とが、所定の距離が開けられる。
そのため、四つのステー１２〜１５は、結合部１１と接触しない。
【００１３】
また、複数の発光チップが結合部１１に設けられる。
本実施例において、六つの発光チップが設けられる。即ち、第１の発光チップ２０と第２の発光チップ２１、第３の発光チップ２２、第４の発光チップ２３、第５の発光チップ２４及び第６の発光チップ２５である。
その中、第１の発光チップ２０と第２の発光チップ２１及び第３の発光チップ２２が、連結導線２６によりステー１２と１３に電気的に接続される。
また、第４の発光チップ２３と第５の発光チップ２４及び第６の発光チップ２５が、同じように、連結導線２６によりステー１４、１５に電気的に接続される。
【００１４】
そして、コロイド３０を結合座１０の凹槽１０１内に注入して、六つの発光チップ２０、２１、２２、２３、２４、２５及び複数の連結導線２６を凹槽１０１の中でシールすることで、本考案に係る発光ダイオードの構造が完成する。
【００１５】
本考案に係る発光ダイオード１は、単一の発光ダイオード１に２組の独立体である陽極ピンと陰極ピン（即ち、ステー１２、１３、１４、１５である）があるため、発光ダイオード１内の発光チップ２０〜２５を２組に分けられる。
また、ステー１２、１３とステー１４、１５が、同時に２組の制御端によって制御されるため、第１の発光チップ２０〜第３の発光チップ２２が、ステー１２、１３の制御端によって制御され、当該第４の発光チップ２３〜第６の発光チップ２５が、ステー１４、１５の制御端によって制御されることになる。
これにより、当該発光ダイオード１の発光をより多様化することができる。
【００１６】
また、結合部１１に固設された第１の発光チップ２０〜第６の発光チップ２５は、順に、赤光チップ、青光チップ、緑光チップである。これにより、左側の発光チップセット２０〜２２と右側の発光チップセット２３〜２５が、白光を発光する。
【００１７】
以上の記載は本考案の好ましい実施例についての説明であって、本考案はこれらの記載に制限されず、本考案の当業者が適宜行なう等価の変更や修正は本考案に含まれるものである。
【図面の簡単な説明】
【００１８】
【図１】本考案の実施例に係る発光ダイオードの実施例の立体外観図
【図２】本考案に係る発光ダイオードの上面図
【図３】本考案に係る発光ダイオードの断面概念図
【図４】本考案に係る発光ダイオードのステーの配置概念図
【図５】従来の発光ダイオードの断面図
【符号の説明】
【００１９】
１・・・・・・発光ダイオード
１０・・・・・結合座
１０１・・・・凹槽
１１・・・・・結合部
１２・・・・・ステー
１３・・・・・ステー
１４・・・・・ステー
１５・・・・・ステー
２０・・・・・第１の発光チップ
２１・・・・・第２の発光チップ
２２・・・・・第３の発光チップ
２３・・・・・第４の発光チップ
２４・・・・・第５の発光チップ
２５・・・・・第６の発光チップ
２６・・・・・連結導線
３０・・・・・コロイド
Ａ・・・・・・発光ダイオード
Ａ１・・・・・ピン
Ａ２・・・・・ピン
Ａ２１・・・・凹槽
Ａ３・・・・・発光チップ
Ａ４・・・・・導線
Ａ５・・・・・透過層樹脂
【図１】
0003128427.tif 000003
【図２】
0003128427.tif 000004
【図３】
0003128427.tif 000005
【図４】
0003128427.tif 000006
【図５】
0003128427.tif 000007